(57)【特許請求の範囲】
【請求項１】
複数の物品を保持するパッケージであって、該パッケージは、
少なくとも部分的に該パッケージの内側の周りに延在するパネルであって、該パネルは、トップパネルと、該トップパネルに折り曲げ可能に接続された少なくとも１つのサイドパネルとを含む、パネルと、
該物品の１つの少なくとも一部を少なくとも部分的に受け入れる該トップパネルの少なくとも１つの開口部と、
該トップパネルのハンドル開口部と、
第１のハンドル部分と、第２のハンドル部分とを備えるハンドルであって、
該第１のハンドル部分は少なくとも２つのハンドルパネルを備え、該第２のハンドル部分は、該少なくとも２つのハンドルパネルの一方に折り曲げ可能に接続された第１の下側ハンドルパネルと、該少なくとも２つのハンドルパネルの他方に折り曲げ可能に接続された第２の下側ハンドルパネルと、該第１の下側ハンドルパネルに折り曲げ可能に接続された第１の端部フラップと、該第２の下側ハンドルパネルに折り曲げ可能に接続された第２の端部フラップとを備え、
該第１のハンドル部分は、ハンドル孔部を有する少なくとも１つのハンドルパネルを備え、該第１の下側ハンドルパネルは物品を少なくとも部分的に受け入れる第１の物品受入孔部を備え、第２の下側ハンドルパネルは物品を少なくとも部分的に受け入れる第２の物品受入孔部を備え、該第１の物品受入孔部の一部は該第１の端部フラップの縁部の一部によって画定され、該第２の物品受入孔部は該第２の端部フラップの縁部の一部によって画定され、
少なくとも該第１のハンドル部分は、該パッケージを把持して運搬するのに用いられるように該ハンドル開口部に対して位置決めされ、少なくとも該第２のハンドル部分は、該トップパネルの内側表面と少なくとも部分的に接触し、
該第１のハンドル部分は一対のタックインパネルを備え、それぞれの該タックインパネルは該少なくとも２つのハンドルパネルの一方にそれぞれ折り曲げ可能に接続され、それぞれの該タックインパネルは互いに折り曲げ可能に接続される、ハンドルと、
を備える、複数の物品を保持するパッケージ。
【請求項２】
該第１のハンドル部分は、該ハンドル開口部に挿入されて該トップパネルから上方に延在する、請求項１に記載のパッケージ。
【請求項３】
該トップパネルは、該ハンドル開口部に隣接するフラップを備える、請求項１に記載のパッケージ。
【請求項４】
該少なくとも２つのハンドルパネルは折り曲げ可能に接続され、ほぼ向かい合わせに接触する２つのハンドルパネルを備える、請求項１に記載のパッケージ。
【請求項５】
複数の物品を保持して、ハンドルを備えるパッケージを形成するブランクであって、該ブランクは、
該パッケージを形成する第１のブランクであって、該第１のブランクは、トップパネルと、該トップパネルに折り曲げ可能に接続された少なくとも１つのサイドパネルと、該物品の１つの少なくとも一部を少なくとも部分的に受け入れる該トップパネルの少なくとも１つの開口部と、該トップパネルのハンドル開口部とを備える、第１のブランクと、
該ハンドルを形成する第２のブランクであって、該第２のブランクは、該パッケージを把持して運搬するのに用いられるように該ハンドル開口部に対して位置決めされるようになっている第１のハンドル部分と、該トップパネルの内側表面と少なくとも部分的に接触するようになっている第２のハンドル部分とを備え、該第１のハンドル部分は、ハンドル孔部を有する少なくとも２つのハンドルパネルを備え、該第２のハンドル部分は、該少なくとも２つのハンドルパネルの一方に折り曲げ可能に接続された第１の下側ハンドルパネルと、該少なくとも２つのハンドルパネルの他方に折り曲げ可能に接続された第２の下側ハンドルパネルと、前記第１の下側ハンドルパネルに折り曲げ可能に接続された第１の端部フラップと、前記第２の下側ハンドルパネルに折り曲げ可能に接続された第２の端部フラップとを備え、前記第１の下側ハンドルパネルは物品を少なくとも部分的に受け入れる第１の物品受入孔部を備え、前記第２の下側ハンドルパネルは物品を少なくとも部分的に受け入れる第２の物品受入孔部を備え、該第１の物品受入孔部の一部は該第１の端部フラップの縁部の一部によって画定され、該第２の物品受入孔部一部は該第２の端部フラップの縁部の一部によって画定され、
該第１のハンドル部分は一対のタックインパネルを備え、それぞれの該タックインパネルは該少なくとも２つのハンドルパネルの一方にそれぞれ折り曲げ可能に接続され、それぞれの該タックインパネルは互いに折り曲げ可能に接続される、第２のブランクと、
を備える、複数の物品を保持して、ハンドルを備えるパッケージを形成するブランク。
【請求項６】
該第１のブランクは、該ハンドル開口部に隣接するフラップを備える、請求項５に記載のブランク。
【請求項７】
該第１のブランクは、該サイドパネルと、該トップパネルに折り曲げ可能に接続された少なくとも１つの端部パネルとを備え、該端部パネルと該サイドパネルは端部ウェブに折り曲げ可能に接続され、該端部ウェブは、ラップアラウンド下側パネルと、該サイドパネルに折り曲げ可能に接続されたコネクタパネルとを備える、請求項５に記載のブランク。
【請求項８】
複数の物品を保持するパッケージのトップパネルのハンドル開口部に対する位置にハンドルを形成するハンドルブランクであって、該ハンドルブランクは、
ハンドル孔部を有する少なくとも２つのハンドルパネルを備える第１のハンドル部分であって、該少なくとも２つのハンドルパネルは、該パッケージを把持して運搬するのに用いられる該ハンドル開口部に対して位置決めされるようになっている、第１のハンドル部分と、
該トップパネルの内側表面と少なくとも部分的に接触するようになっている第２のハンドル部分であって、該第２のハンドル部分は、該少なくとも２つのハンドルパネルの一方に折り曲げ可能に接続された第１の下側ハンドルパネルと、該少なくとも２つのハンドルパネルの他方に折り曲げ可能に接続された第２の下側ハンドルパネルとを、前記第１の下側ハンドルパネルに折り曲げ可能に接続された第１の端部フラップと、前記第２の下側ハンドルパネルに折り曲げ可能に接続された第２の端部フラップと備え、
前記第１の下側ハンドルパネルは物品を少なくとも部分的に受け入れる第１の物品受入孔部を備え、前記第２の下側ハンドルパネルは物品を少なくとも部分的に受け入れる第２の物品受入孔部を備え、該第１の物品受入孔部に一部は該第１の端部フラップの縁部の一部によって画定され、該第２の物品受入孔部の一部は該第２の端部フラップの縁部の一部によって画定され、
該第１のハンドル部分は一対のタックインパネルを備え、それぞれの該タックインパネルは該少なくとも２つのハンドルパネルの一方にそれぞれ折り曲げ可能に接続され、それぞれの該タックインパネルは互いに折り曲げ可能に接続される、第２のハンドル部分と、
を備える、複数の物品を保持するパッケージのトップパネルの開口部に対する位置にハンドルを形成するハンドルブランク。
【請求項９】
該少なくとも２つのハンドルパネルは折り曲げ可能に接続される、請求項８に記載のハンドルブランク。
【請求項１０】
複数の物品を保持するパッケージを形成する方法であって、該方法は、
パッケージブランクを得ることであって、該パッケージブランクは、トップパネルと、該トップパネルに折り曲げ可能に接続された少なくとも１つのサイドパネルと、該物品の１つの少なくとも一部を少なくとも部分的に受け入れる該トップパネルの少なくとも１つの開口部と、該トップパネルの細長いハンドル開口部とを備える、パッケージブランクを得ること、
該ブランクに対して複数の物品を位置決めすること、
該ブランクに対してハンドルを位置決めすることであって、該ハンドルは第１のハンドル部分と第２のハンドル部分とを含み、該第１のハンドル部分は少なくとも２つのハンドルパネルを備え、該第２のハンドル部分は、該少なくとも２つのハンドルパネルの一方に折り曲げ可能に接続された第１の下側ハンドルパネルと、該少なくとも２つのハンドルパネルの他方に折り曲げ可能に接続された第２の下側ハンドルパネルと、前記第１の下側ハンドルパネルに折り曲げ可能に接続された第１の端部フラップと、前記第２の下側ハンドルパネルに折り曲げ可能に接続された第２の端部フラップとを備え、前記第１の下側ハンドルパネルは物品を少なくとも部分的に受け入れる第１の物品受入孔部を備え、前記第２の下側ハンドルパネルは物品を少なくとも部分的に受け入れる第２の物品受入孔部を備え、該第１の物品受入孔部の一部は該第１の端部フラップの縁部の一部によって画定され、該第２の物品受入孔部は該第２の端部フラップの縁部の一部によって画定され、
該第１のハンドル部分は一対のタックインパネルを備え、それぞれの該タックインパネルは該少なくとも２つのハンドルパネルの一方にそれぞれ折り曲げ可能に接続され、それぞれの該タックインパネルは互いに折り曲げ可能に接続される、ハンドルを位置決めすること、
とを含み、
該ハンドルを位置決めすることは、該パッケージを把持して運搬するのに用いられるように該ハンドル開口部に対して該第１のハンドル部分を位置決めすることと、該トップパネルの内側表面と少なくとも部分的に接触するように該第２のハンドル部分を位置決めすることとを含む、複数の物品を保持するパッケージを形成する方法。
【請求項１１】
該ハンドルを位置決めすることは、該第１のハンドル部分が該トップパネルから上方に延在するように該ハンドル開口部に該第１のハンドル部分を挿入することを含む、請求項１０に記載の方法。
【請求項１２】
該ハンドルを位置決めすることは、該物品の少なくとも１つが該第１の物品受入孔部に受け入れられるように該第１の下側ハンドルパネルを位置決めすることと、該物品の少なくとも１つが該第２物品受入孔部に受け入れられるように該第２の下側ハンドルパネルを位置決めすることとを含む、請求項１０に記載の方法。
【請求項１３】
該ハンドルを位置決めすることは、該少なくとも２つのハンドルパネルをほぼ向かい合わせに接触させ、それぞれの該タックインパネルを該少なくとも２つのハンドルパネルの一方とそれぞれ向かい合わせに接触させることを含む、請求項１２に記載の方法。
【発明の詳細な説明】
【技術分野】
【０００１】
本開示内容は、包括的には、容器を保持して運搬するためのパッケージ又はカートンに関する。
【背景技術】
【０００２】
本願は、２００８年４月８日付けで出願された米国仮特許出願第６１／０４３，２４１号の優先権を主張する。上記に述べた仮特許出願の全ての内容は、全ての目的でここに参照されることで援用される。
【発明の概要】
【０００３】
通常、本開示内容の一つの態様は、概して、複数の物品を保持するパッケージに関する。パッケージは、少なくとも部分的にパッケージの内側の周りに延在するパネルを有する。パネルは、トップパネル、及び該トップパネルに折り曲げ可能に接続された少なくとも１つのサイドパネルを備える。少なくとも１つの開口部は、物品の１つの少なくとも一部を少なくとも部分的に受け入れるようにトップパネルにある。ハンドル開口部は、トップパネルにある。ハンドルは、第１のハンドル部分及び第２のハンドル部分を備える。少なくとも第１のハンドル部分は、パッケージを把持して運搬するのに用いられるようにハンドル開口部に対して位置決めされ、少なくとも第２のハンドル部分は、トップパネルの内側表面と少なくとも部分的に接触する。
【０００４】
別の態様では、本開示内容は、概して、複数の物品を保持するパッケージを形成するためのブランクに関する。ブランクは、第１のブランク及び第２のブランクを備える。第１のブランクは、パッケージを形成するためのものであり、トップパネル、及び該トップパネルに折り曲げ可能に接続された少なくとも１つのサイドパネル、物品の１つの少なくとも一部を少なくとも部分的に受け入れるトップパネルの少なくとも１つの開口部、並びに該トップパネルのハンドル開口部を備える。第２のブランクは、ハンドルを形成するためのものであり、パッケージを把持して運搬するのに用いられるようにハンドル開口部に対して位置決めされるようになっている第１のハンドル部分、及びトップパネルの内側表面と少なくとも部分的に接触するようになっている第２のハンドル部分を備える。第１のハンドル部分は、ハンドル孔部を有する少なくとも１つのハンドルパネルを含み、第２のハンドル部分は、少なくとも１つのハンドルパネルに折り曲げ可能に接続された少なくとも１つの下側ハンドルパネルを含む。
【０００５】
別の態様では、本開示内容は、概して、複数の物品を収容するパッケージを形成するパッケージブランクに関する。パッケージブランクは、トップパネルと、該トップパネルに折り曲げ可能に接続された少なくとも１つのサイドパネルと、物品の１つの少なくとも一部を少なくとも部分的に受け入れるトップパネルの少なくとも１つの開口部とを備える。パッケージブランクは、ハンドルと協働する細長いハンドル開口部をさらに備え、ハンドルは、該ブランクから形成されるパッケージを把持して運搬するのに用いられるようにハンドル開口部に対して位置決めされる。ハンドルは、ハンドル開口部を通ってトップパネルから上方に延在する。
【０００６】
別の態様では、本開示内容は、概して、複数の物品を保持するパッケージのトップパネルのハンドル開口部に対して位置決めされるハンドルを形成するためのハンドルブランクに関する。ハンドルブランクは、第１のハンドル部分及び第２のハンドル部分を含む。第１のハンドル部分は、ハンドル孔部を有する少なくとも１つのハンドルパネルを含む。少なくとも１つのハンドルパネルは、パッケージを把持して運搬するのに用いられる該ハンドル開口部に対して位置決めされるようになっている。第２のハンドル部分は、トップパネルの内側表面と少なくとも部分的に接触するようになっている。第２のハンドルパネルは、少なくとも１つのハンドルパネルに折り曲げ可能に接続された少なくとも１つの下側ハンドルパネルを備える。
【０００７】
別の態様では、本開示内容は、概して、複数の物品を保持するパッケージを形成する方法に関する。本方法は、パッケージブランクを得ることを含む。パッケージブランクは、トップパネル、該トップパネルに折り曲げ可能に接続された少なくとも１つのサイドパネル、物品の１つの少なくとも一部を少なくとも部分的に受け入れるトップパネルの少なくとも１つの開口部、及びトップパネルの細長いハンドル開口部を備える。本方法は、該ブランクに対して複数の物品を位置決めすること、及び該ブランクに対してハンドルを位置決めすることをさらに含み、ハンドルは第１のハンドル部分及び第２のハンドル部分を備える。ハンドルを位置決めすることは、パッケージを把持して運搬するのに用いられるようにハンドル開口部に対して第１のハンドル部分の位置決めをすること、及びトップパネルの内側表面と少なくとも部分的に接触するように第２のハンドル部分の位置決めをすることをも含む。
【０００８】
当業者は、添付図面を参照して実施形態の以下の詳細な説明を読むことによって、上記の利点並びに他の利点、及び多様な追加の実施形態の利点を理解するであろう。
【０００９】
一般的慣行に従い、以下で説明する図面の多様な機能は、必ずしも一定の縮尺比で描かれているとは限らない。図面における多様な機能及び要素の寸法は、本開示内容の実施形態をより明確に示すために拡大又は縮小されている場合がある。対応する部分は、図面を通して対応する参照符号によって示されている。
【図面の簡単な説明】
【００１０】
【図１】本開示内容の第１の実施形態によるパッケージの形成に用いられるパッケージブランクの平面図である。
【図２】第１の実施形態のパッケージの形成に用いられるハンドルブランクの平面図である。
【図３】部分的に組み立てられている第１の実施形態のパッケージの端面斜視図である。
【図４】部分的に組み立てられている第１の実施形態のパッケージの側面斜視図である。
【図５】第１の実施形態の組み立て済みのパッケージの端面斜視図である。
【図６】本開示内容の第２の実施形態によるパッケージの形成に用いられるパッケージブランクの外側表面の平面図である。
【図７】第２の実施形態のパッケージの形成に用いられるハンドルの上面図である。
【図８】第２の実施形態のパッケージになるように部分的に組み立てられた図６のパッケージブランク及び図７のハンドルの内側表面の平面図である。
【図９】部分的に組み立てられた第２の実施形態のパッケージの上面図である。
【図１０】第２の実施形態のパッケージの側面斜視図である。
【図１１】第３の実施形態のパッケージの形成に用いられるパッケージブランクの外側表面の平面図である。
【図１２】第３の実施形態のパッケージになるように部分的に組み立てられた図１１のパッケージブランク及びハンドルの内側表面の平面図である。
【図１３】第３の実施形態のパッケージの側面斜視図である。
【図１４】ハンドルがパッケージの運搬に向けて位置決めされている第３の実施形態のパッケージの側面斜視図である。
【図１５】第４の実施形態によるパッケージの形成に用いられるパッケージブランクの外側表面の平面図である。
【発明を実施するための形態】
【００１１】
本開示内容は、包括的に、ジャー、ボトル、缶等のような容器を保持して陳列するための構造物、スリーブ、カートン等、又はパッケージに関する。当該容器は、例えば、食品及び飲料製品を包装するために用いられ得る。容器は、特定の食料品又は飲料品を包装するのに適した組成の材料から作ることが可能であり、当該材料には、ＰＥＴ、ＬＤＰＥ、ＬＬＤＰＥ、ＨＤＰＥ、ＰＰ、ＰＳ、ＰＶＣ、ＥＶＯＨ、及びナイロン等のプラスチック等、アルミニウム及び／又は他の金属、ガラス、又はそれらの任意の組み合わせを含むが、これらに限定されない。
【００１２】
本発明によるパッケージは、多数の異なる形状の容器の包装を可能にしている。本開示内容の範囲を限定することを目的とせず、説明することを目的として、以下の詳細な説明では、パッケージの実施形態の中に少なくとも部分的に配置される飲料容器（例えば、プラスチック容器）について説明する。本明細書において、「下側」、「ボトム」、「上側」、及び「トップ」という用語は、完全に組み立てられたパッケージに関して決定される向きを示す。
【００１３】
本実施形態は、容器に取り付け、容器を収容するためのカートン又はパッケージに係る。第１の実施形態のパッケージ又はキャリア１５０が、図５に組み立てられた状態で示されており、図中では３本の容器を２列の状態に配置された容器Ｃに取り付けられている。図示された実施形態では、容器Ｃは、フランジ部Ｆ、上側頸部Ｎ、及びキャップＣＰを概して備えるトップ部Ｔを有する飲料容器として図示されているが、本開示内容から逸脱することなく、他の寸法、形状、及び構成の容器がパッケージ１５０に保持されてもよい。容器Ｃの上側頸部Ｎは、パッケージ１５０の各開口部６５に受け入れられ、そしてここでさらに説明される保持機能部によってパッケージ内で保持される。容器Ｃは、本開示内容から逸脱することなく、２×３以外の配置（例えば、２×４、１×３、１×４等）で配置されてもよい。他の容器タイプ、寸法、及び／又は形状、並びに他の物品を、本開示内容に従って構成されるカートンに収容することもできる。
【００１４】
一つの実施形態では、パッケージ１５０は、パッケージを把持して運搬するためのハンドル７（図５）を含む。ハンドル７は、ここでさらに説明するような強化機能部を含む多様な機能部を含む。
【００１５】
図１は、本開示内容の第１の実施形態によるパッケージ１５０（図５に示す）の形成に用いられるパッケージブランク５の外側表面３の平面図である。パッケージブランクは、長手方向軸線Ｌ１及び横方向軸線Ｌ２を有する。パッケージブランク５がハンドルブランク１０５（図２に示す）と組み合わせられて、パッケージ又はキャリア１５０が形成される。パッケージ１５０は、容器Ｃへの取り付け用の保持機能部を有する。図１に示すように、パッケージブランク５は、長手方向中心線ＣＬ及び横断方向中心線ＣＴに関して少なくとも部分的に対称であり得る。したがって、ブランク５の全体的及び／又は部分的な長手方向対称性及び横断方向対称性を反映するために、図中の特定の要素は同様又は同一の参照符号を有する。
【００１６】
図１を参照すると、パッケージブランク５は、長手方向折り線１４で上側サイドパネル１２に各側部が折り曲げ可能に接続された、概して、矩形のトップパネル１０と、長手方向折り線２４で各上側サイドパネル１２に接続された下側サイドパネル２０とを備える。上側端部パネル３２が、横断方向折り線３１でトップパネル１０の各端部に折り曲げ可能に接続され、中間端部パネル３６が、横断方向折り線３４で各上側端部パネル３２に折り曲げ可能に接続される。
【００１７】
端部ウェブ４０が、パッケージブランク５の各端部に位置付けられる。各端部ウェブ４０は、斜めの切れ目４２によって隣接する下側サイドパネル２０から分離され且つ斜めの折り線４４で隣接する上側サイドパネル１２に折り曲げ可能に接続されたコネクタパネル４１を含む。各端部ウェブ４０は、横方向折り線５２でコネクタパネル４１の１つに端部のそれぞれが折り曲げ可能に接続されたラップアラウンド下側パネル５０をさらに含む。一対の孔部５６が、ブランク５の各端部から切り取られ、端部パネル３２、３６の各側部に１つずつ配置される。各端部ウェブ４０は、横方向折り線５４で隣接する中間端部パネル３６にも接続される。複数の長手方向スコア５８が、各ラップアラウンド下側パネル５０に延在し得る。
【００１８】
トップパネル１０のハンドル受入機能部８０が、細長いハンドル開口部８８の両側に、長手方向折り線８４でトップパネル１０の中央部分に折り曲げ可能に接続された対向するトップフラップ８２を備える。Ｊ型の切れ目９２が、各トップフラップ８２の各端部でトップパネル１０に形成されて、折り線８４に関するフラップの屈曲又は枢動を可能にし得る。複数の物品受入開口部６５が、トップパネル１０に形成されて、ハンドル受入機能部８０の周りに分配される。一つの実施形態では、トップパネル１０は、各ハンドル受入開口部６５においてトップパネルに折り曲げ可能に接続された４つの保持フラップを含む。物品受入開口部６５は、保持フラップ６７が折り上げられて各物品受入開口部に挿入されたそれぞれの容器Ｃの頸部Ｎに係合すると形成される。一つの実施形態では、保持フラップ６７は、２００８年１１月１４日付けで出願されて共に譲渡された米国特許出願第１２／２７１，２５３号に示されるレセプタクル１２を形成する保持フラップ２２、２４と概して同様のものとすることができ、該出願は、全ての内容が全ての目的でここに参照されることで援用される。保持フラップ６７は、本開示内容の範囲から逸脱することなく、他の形状、配置、構成であってもよく、かつ／又は省かれてもよい。
【００１９】
図示された実施形態では、折り線４４は例えばクリース線、折り線１４、２４、３１、３４、５２、８４は例えば切れ目入りクリース（cut-crease）線であり得る。破断線５８は、切れ目入り離間線（cut-space lines）又は一連の離間したスコア線であり得る。切れ目４２は、例えば、一続きの１００％切れ目、刻み目によって中断される切れ目、又は裂け目可能なスコア線を備える、破断する裂け目可能線であり得る。
【００２０】
図２は、パッケージブランク５と共に用いられてパッケージ１５０（図５及び図６）を形成するハンドルブランク１０５を示している。ハンドルブランク１０５は、パッケージ１５０のハンドル７になるように形成される。ハンドルブランク１０５は、横断方向折り線１１２で互いに折り曲げ可能に接続された一対のハンドルパネル１１０、横断方向折り線１２２で各ハンドルパネル１１０に折り曲げ可能に接続された下側ハンドルパネル１２０、及び断続的な横断方向折り線１２８で各下側ハンドルパネル１２０に折り曲げ可能に接続された端部フラップ１２６を含む。タックインパネル１３０が、斜めの折り線１３２で各ハンドルパネル１１０の各端部に接続され得る。ハンドルブランク１０５の各端部のタックインパネル１３０は、折り線１１２で互いに折り曲げ可能に接続され得る。ハンドル孔部１４０が、各上側ハンドルパネル１１０に形成される。物品受入孔部１４５が、各下側ハンドルパネル１２０に形成される。図示された実施形態では、折り線１１２、１２２、１２８、１３２は、例えば切れ目入りクリース線であり得る。
【００２１】
図１〜図５を参照して、ブランク５及び１０５からパッケージ１５０を組み立ててパッケージを容器に取り付ける例示的な方法を後述する。
【００２２】
図１〜図３を参照すると、ハンドルブランク１０５のタックインパネル１３０が、それぞれのハンドルパネル１１０と向かい合わせに接触するように斜め折り線１３２で内方に折り込まれる。ハンドルブランク１０５は、対向するハンドルパネル１１０の内側が互いに隣接して向かい合わせになるように横断方向折り線１１２に関して折り曲げられる。ハンドルパネル１１０は、互いに離間していてもよく、又は互いに向かい合わせに接触させられてもよい。
【００２３】
図３及び図４を参照すると、２×３配置の容器Ｃが提供されている。続いて、折り曲げられたハンドルブランク１０５が、図３にＣ１及びＣ３として示されている２つの中央容器のトップ部Ｔの上に押し下げられることにより、中央容器のトップ部Ｔが、ハンドルブランク１０５の下側ハンドルパネル１２０の物品受入孔部１４５に押し通される。パッケージブランク５は、容器Ｃの配置及びハンドルブランク１０５の上に押し下げられる。ハンドルブランク１０５の対向するハンドルパネル１１０は、パッケージブランク５のハンドル開口部８８に押し通される。同時に、容器Ｃのトップ部Ｔが、パッケージブランク５の物品受入孔部６５に押し通される。一つの実施形態では、下側ハンドルパネル１２０は、パッケージブランクのトップパネル１０の内側表面と向かい合わせに接触する。ハンドルパネル１１０は、ハンドル開口部８８に挿入されると互いに向かい合わせに接触するようになり得る。ハンドルパネル１１０は、互いに接着されてもよく、又は接着剤無しのままであってもよい。また、下側ハンドルパネル１２０は、トップパネル１０に接着されてもよく、又は接着剤無しのままであってもよい。
【００２４】
第１の実施形態では、ハンドル７は、第１のハンドル部分（例えば、ハンドルパネル１１０の少なくとも一方）及び第２のハンドル部分（例えば、下側ハンドルパネル１２０の少なくとも一方）を備え、第１のハンドル部分は、トップパネル１０のハンドル開口部８８に挿入され、第２のハンドル部分は、トップパネルの内側表面と少なくとも部分的に接触する。
【００２５】
図３〜図５を参照すると、端部ウェブ４０は、２×３配置の端部にある容器Ｃの側部に当接して巻き付くように折り下げられる。ラップアラウンド下側パネル５０は、端部容器Ｃの側部の周りに押し付けられ、すなわち巻き付けられ、スコア５８がこの巻き付けを行いやすくする。パッケージブランク５の各端部の下側サイドパネル２０が続いて折り下げられて、ラップアラウンド下側パネル５０に接着される。一つの実施形態では、ラップアラウンドパネル５０は、パッケージ１５０の各コーナで容器Ｃの形状に対応するように曲げられる。
【００２６】
図５は、容器Ｃに固定されたパッケージブランク５及びハンドルブランク１０５から形成されたパッケージ１５０を示している。図５に示すように、パッケージ１５０は、トップパネル１０から上方に延在するハンドル７を把持して運搬することができる。
【００２７】
図６は、本開示内容の第２の実施形態によるパッケージ３５０（図１０に示す）の形成に用いられるパッケージブランク２０５の外側表面２０３の平面図である。パッケージブランク２０５がハンドル３０５（図７）と組み合わせられて、パッケージ３５０が形成される。パッケージ３５０及び取り付けられた容器Ｃは、図１０に示されている。図６に示すように、パッケージブランク２０５は、長手方向中心線ＣＬ及び横断中心線ＣＴに関して少なくとも部分的に対称であり得る。したがって、ブランク２０５の全体的及び／又は部分的な長手方向対称性及び横断方向対称性を反映するために、図中の特定の要素は同様又は同一の参照符号を有する。さらに、第２の実施形態のパッケージブランク２０５は、第１の実施形態のパッケージブランク５と、概して、同様であり、同じか又は同様の機能には同じか又は同様の参照符号が付けられている。
【００２８】
図６を参照すると、パッケージブランク２０５は、横方向折り線２１４で上側端部パネル２１２に各端部が折り曲げ可能に接続されたトップパネル２１０と、横方向折り線２２４で各上側端部パネル２１２に接続された下側端部パネル２２０とを備える。上側サイドパネル２３２が、長手方向折り線２３１でトップパネル２１０の各側部に折り曲げ可能に接続され、中間サイドパネル２３６が、長手方向折り線２３４で各上側サイドパネル２３２に折り曲げ可能に接続される。
【００２９】
サイドウェブ２４０が、パッケージブランク２０５の各側部に位置付けられる。各サイドウェブ２４０は、斜めの切れ目２４２によって隣接する下側端部パネル２２０から分離されかつ斜めの折り線２４４で隣接する上側サイドパネル２１２に折り曲げ可能に接続されたコネクタパネル２４１を含む。各サイドウェブ２４０は、長手方向折り線２５２でコネクタパネル２４１の１つに端部のそれぞれが折り曲げ可能に接続されたラップアラウンド下側パネル２５０をさらに含む。一対の孔部２５６が、サイドパネル２３２、２３６の各端部に１つずつ、ブランク２０５の各側から切り取られる。各サイドウェブ２４０は、長手方向折り線２５４で隣接する中間サイドパネル２３６にも接続される。複数の横方向スコア２５８が、各サイドウェブ２４０に延在し得る。
【００３０】
トップパネル２１０のハンドル受入機能部２８０が、トップパネル２１０の中央から切り取られた細長いハンドル開口部２８８を備える。複数の物品受入孔部２６５が、トップパネル２１０に形成されてハンドル受入機能部２８０の周りに分配されている。トップパネル２１０は、トップパネルに折り曲げ可能に接続されて開口部２６５に隣接する物品保持フラップ２６７を含む。フラップ２６７は、先の実施形態のフラップ６７と同様であり、容器Ｃを同様の方法で保持する。ハンドル開口部２８８の周りには、周囲部２９２が画成されており、例えば折り線又はクリース等の連続的又は実質的に連続的な破断線を含み得る。ハンドル受入機能部２８０の周囲部２９２は、ハンドル３０５がハンドル開口部に挿入される時にハンドル開口部２８８に隣接するトップパネルの部分が上方に曲がることを可能にする。
【００３１】
図７は、パッケージブランク２０５と共に用いられてカートン３５０を形成するハンドル３０５を示している。一つの実施形態では、ハンドル３０５は、「ウィルトンハンドル（Wilton Handle）」として一般に知られている構成を有する予め組み立てられたハンドルであり得る。ハンドル３０５は、ベース３２０及びベースに取り付けられるハンドルストラップ３３０を含む。例示的な実施形態では、ベース３２０は、長さ
0005404769.tif 000002
インチであり、厚紙又は他の適当な材料でできている。一実施形態では、ハンドルストラップ３３０は、幅
0005404769.tif 000003
インチであり、各端部がベース３２０に取り付けられる。ハンドルストラップ３３０は、ブランク２０５のハンドル開口部２８８を通るようなサイズであり得る。ベース３２０は、ハンドル受入孔部２８８よりも大きな平面積を有し得る。
【００３２】
第２の実施形態のパッケージ３５０では、ハンドル３０５は、第１のハンドル部分（例えば、ハンドルストラップ３２０）及び第２のハンドル部分（例えば、ベース３２０）を備え、第１のハンドル部分は、トップパネル２１０のハンドル開口部２８８に挿入され、第２のハンドル部分は、トップパネルの内側表面と少なくとも部分的に接触する。
【００３３】
図６〜図１０を参照して、ブランク２０５及びハンドル３０５からパッケージ３５０を組み立てて容器Ｃをパッケージ３５０に取り付ける例示的な方法を後述する。
【００３４】
図８を参照すると、ハンドル３０５が、パッケージブランク２０５の内側表面の上に置かれ、ハンドルストラップ３３０がハンドル開口部２８８で位置を占めるようにトップパネル２１０の内側表面に位置決めされる。ハンドル３０５のベース３２０は、トップパネル２１０の内側表面の一部と対面接触し、トップパネルに接着され得る。図９は、ハンドルストラップ３３０がハンドル開口部２８８を貫通しているブランク２０５の外側表面２０３の上面図である。図１０は、先の実施形態のパッケージ１５０と同様の方法でさらに形成された第２の実施形態のパッケージ３５０を示している。また、容器Ｃは、先の実施形態と同様の方法でトップパネル２１０の容器受入開口部２６５に受け入れられてパッケージ３５０内に保持される。
【００３５】
図１０を参照すると、２×３配置の容器Ｃが提供されている。パッケージブランク２０５は、容器Ｃの配置の上に押し下げられる。容器Ｃのトップ部Ｔは、パッケージブランク２０５の対応する物品受入孔部２６５に押し通される。サイドウェブ２４０は、容器Ｃの側部の周りに当接して巻き付くように折り下げられる。特に、ラップアラウンド下側パネル２５０は、容器Ｃの側部の周りに押し付けられ、スコア２５８がこの巻き付けを行いやすくする。下側端部パネル２２０が、続いて折り下げられてラップアラウンド下側パネル２５０に接着される。ブランク２０５及びハンドル３０５から形成されたパッケージ３５０は、こうして容器Ｃに固定される。
【００３６】
ハンドル片３０２のベース３２０は十分に大きくされ得ることで、パッケージブランク２０５のトップパネル２１０に糊付けされる必要がない。例えば、一つの実施形態では、ベース３２０は、パッケージブランク２０５のトップパネル２１０と実質的に同じ大きさで、容器のトップ部Ｔを受け入れるためにベース３２０に孔部を備え得る。パッケージを組み立てるためには、容器Ｃのトップ部Ｔがハンドルのベースの孔部を貫通するように、ハンドルをトップ部に押し当てる。上述のように、パッケージブランク２０５を容器のトップ部Ｔの上に押し付けることで、パッケージブランク２０５が容器Ｃの配置の上のハンドル片に重なる。続いて、パッケージブランク２０５のサイドウェブ２４０及びパネル２５０、２２０を、図１０に示す構成を得るように折り曲げて糊付けすることができる。
【００３７】
図１１は、本開示内容の第３の実施形態によるパッケージ５５０（図１３）の形成に用いられるパッケージブランク４０５の外側表面４０３の平面図である。パッケージブランク５５０は、容器Ｃが取り付けられたパッケージ５５０を形成するようにハンドル５０５と協働する。図１１に示すように、ブランク４０５は、長手方向中心線ＣＬ及び横断方向中心線ＣＴに関して少なくとも部分的に対称であり得る。したがって、ブランク４０５の全体的及び／又は部分的な長手方向対称性及び横断方向対称性を反映するために、図中の特定の要素は同様又は同一の参照符号を有する。さらに、第３の実施形態のパッケージブランク４０５は、第１の実施形態のパッケージブランク５及び第２の実施形態のパッケージブランク２０５と、概して、同様であり、同じか又は同様の機能には同じか又は同様の参照符号が付けられている。
【００３８】
図１１を参照すると、ブランク４０５は、横方向折り線４１４で各端部に２つずつある４つの上側端部パネル４１２に折り曲げ可能に接続されたトップパネル４１０と、横方向折り線４２４でブランクの各端部にある上側端部パネル４１２の対に接続された下側端部パネル４２０とを備える。上側サイドパネル４３２が、長手方向折り線４３１でトップパネル４１０の各側部に折り曲げ可能に接続され、中間サイドパネル４３６が、長手方向折り線４３４で各上側サイドパネル４３２に折り曲げ可能に接続される。ブランク４０５は、上側端部パネル４１２間に開口部４３５を含む。上側端部パネル４１２及び下側端部パネル４２０のそれぞれが、開口部４３５から下側端部パネル４２０まで延在するそれぞれのＪ型の切れ目４３９によって画成される端部ハンドルフラップ４３７を有する。
【００３９】
サイドウェブ４４０が、ブランク４０５の各側部に位置付けられる。各サイドウェブ４４０は、斜めの切れ目４４２によって隣接する下側端部パネル４２０から分離され、且つ斜めの折り線４４４で隣接する上側端部パネル４１２に折り曲げ可能に接続されたコネクタパネル４４１を備える。各サイドウェブ４４０は、長手方向折り線４５２でコネクタパネル４４１の１つに端部のそれぞれが折り曲げ可能に接続されたラップアラウンド下側パネル４５０をさらに備える。一対の孔部４５６が、サイドパネル４３２、４３６の各端部に１つずつ、ブランク４０５の各側から切り取られる。各サイドウェブ４４０は、長手方向折り線４５４で隣接する中間サイドパネル４３６にも接続される。複数の横スコア４５８が、各サイドウェブ４４０に延在し得る。
【００４０】
トップパネル４１０のハンドル機能部４８０が、トップパネル４１０から切り取られて裂け目可能な周囲部又は引き裂き線４８８によって画成される細長いハンドルパネル４８４を備える。ハンドルパネル４８４がトップパネル４１０から分離又は取り除かれると、トップパネルにハンドル開口部４８９（図１４）ができる。複数の物品受入孔部４６５が、トップパネル４１０に形成されてハンドル受入機能部４８０の周りに分配している。トップパネル４１０は、トップパネルに折り曲げ可能に接続されて、開口部４６５に隣接する物品保持フラップ４６７を含む。フラップ４６７は、先の実施形態のフラップ６７、２６７と同様であり、容器Ｃを同様の方法で保持する。細長いハンドル強化層５０５（図１２に示す）が、ブランク４０５の裏側に接着される。
【００４１】
図１２は、ブランク４０５の内側表面４０４及びハンドル強化層５０５を示している。ハンドル強化層５０５は、例えば、ブランク４０５の裏側に接着される細長い材料ストリップであり得る。強化層５０５は、トップパネル４１０の場所５１０を除き、強化層５０５の実質的に全域に沿ってブランク４０５の裏側に接着され得る。図示された実施形態では、場所５１０は、ハンドルパネル４８４の端部、及びトップパネル４１０と端部ハンドルフラップ４３７との間の開口部４３５に、概して、隣接する。一つの実施形態では、ハンドル強化層５０５は、ハンドルパネル４８４と向かい合わせに接触する中央部分５０９を有する。中央部分５０９は、ハンドルパネル４８４に接着されても接着されなくてもよい。ハンドル強化層５０５は、中央部分５０９に隣接し、且つトップパネル４１０の場所５１０と向かい合わせに接触する非接着部分５１１を含む。ハンドル強化層５０４は、強化層のそれぞれの端部に非接着部分５１１に隣接して端部分５１３を有する。強化層５０５の非接着部分５１１は、パッケージ５５０の持ち上げ時にカートン５５０のハンドルが延びることを可能にする。図示された実施形態では、端部分５１３は、ブランク４０５の端部パネル４２０、４１２の端部ハンドルフラップ４３７に向かい合わせに接触して接着される。代替的に、端部分５１３は、端部ハンドルフラップ４３７に接着されなくてもよい。ハンドル強化層５０５は、例えば、プラスチック若しくは複合フィラメントテープ、又はフィラメント強化材を含む紙テープであり得る。
【００４２】
カートン５５０は、図６〜図１０に関して上述したカートン３５０又は図１〜図５に関して上述したようなカートン１５０を組み立てる方法と同様の方法でブランク４０５から組み立てされ得る。
【００４３】
第３の実施形態のパッケージ４５０では、ハンドル４０５は、第１のハンドル部分（例えば、ハンドル強化層５０５の中央部分５０９）及び第２のハンドル部分（例えば、非接着部分５１１）を備え、第１のハンドル部分は、トップパネル４１０のハンドル開口部４８９に挿入され、第２のハンドル部分は、トップパネルの内側表面と少なくとも部分的に接触する。
【００４４】
図１５は、本開示内容の第４の実施形態によるパッケージ（図示せず）の形成に用いられるブランク６０５の外側表面６０３を示している。ブランク６５０は、トップパネル４１０のフラップ４６７が異なるサイズであることを除き、先の実施形態のブランク４０５と同一である。第４の実施形態では、フラップ４６７は、容器Ｃの挿入及びトップパネルに対するフラップの折り上げの前にフラップ間により大きな開口部４６９を提供するようなサイズである。したがって、先の実施形態と同じか又は同様の機能には、ブランクの第４の実施形態において同じか又は同様の参照符号が設けられている。
【００４５】
図１４は、試験装置Ｌによるハンドル４０７の動作を示している。試験装置Ｌは、ハンドル強化層５０５及びハンドルパネル４８４を裏側から持ち上げる。最初に持ち上げると、トップパネル４１０の引き裂き線４８８が破断して、ハンドルパネル４８４がトップパネル４１０及びトップパネルの開口部４８９から分離部される。ハンドル強化層５０５の中央部分５０９は、ハンドルパネル４８４の裏側に接着することができ、ハンドル強化層５０５の端部分５１３は、ハンドル端部フラップ４３７に接着することができる。これにより、パッケージ５５０の持ち上げ負荷をハンドル強化層５０５が受けて、ハンドル端部フラップ４３７を介して下側端部パネル４２０に伝える。ハンドル強化層５０５に力が加わると、ハンドルパネル４８４はトップパネル４１０から分離され、ハンドル強化層５０５は開口部４８９を通って上方に延在することができるようになる。
【００４６】
図示された実施形態のパッケージ１５０、３５０、５５０は、他の機構によって持ち上げられ把持されるように他の配置及び位置決めであってもよい。さらに、パッケージ１５０、３５０、５５０は、本開示内容から逸脱することなく、他の機能部（例えば、ディスペンサ機能部、強化機能部等）を有していてもよい。
【００４７】
本開示内容によるブランクは、例えば、コート紙の厚紙及び同様の材料から形成することができる。例えば、ブランクの内側表面及び／又は外側表面をクレーコートでコーティングすることができる。続いて、クレーコート上に製品、広告、価格コード、及び他の情報又は画像を印刷してもよい。続いて、ブランクに印刷されている情報を保護するために、ブランクをワニスでコーティングすることもできる。ブランクの片面又は両面を、例えば防湿層でコーティングしてもよい。上述の実施形態に応じて、ブランクは、通常の紙よりも重く硬質であるような厚さの厚紙で作成してもよい。ブランクは、ボール紙、硬化紙等の他の材料、又はカートンが少なくとも、概して、ここで記載された機能ができるようにするのに適した特徴を有する任意の他の材料で作成することもできる。ブランクは、選択されたパネル又はパネルセクションに１つ又は複数のシート状材料を積層又はコーティングすることもできる。
【００４８】
本開示内容の上述の実施形態によれば、折り線は、それに沿った折り曲げを容易にする、必ずしも直線状ではないが実質的に線状の任意の弱化形態であり得る。本開示内容の範囲を狭めるためではないが、より具体的には、折り線は、所望の弱化形態線に沿って材料に圧潰部分を作る鈍いスコアリングナイフ等で形成される線等のスコア線、所望の弱化形態線に沿って材料に部分的に入れ込んだ切れ目、及び／又は所望の弱化形態線に沿って材料に部分的に及び／又は完全に貫通する一連の切れ目、並びにこれらの機能の多様な組み合わせを含む。
【００４９】
一例として、引き裂き線は、所望の弱化形態線に沿って材料に部分的に入れ込んだスリット、及び／又は所望の弱化形態線に沿って材料に部分的に及び／又は完全に貫通する一連の離間したスリット、又はこれらの機能の多様な組み合わせを含み得る。より具体的な例としては、１つのタイプの引き裂き線は、引き裂き線を挟んで材料を通常は一時的に接続するためにニック（例えば、材料の小さないくらか橋で結んでいるような部分）が間に画成されるように隣接するスリットをわずかに離間させた、材料を貫通する一連の離間したスリットの形態である。ニックは、引き裂き時に引き裂き線に沿って破壊される。ニックは典型的に、引き裂き線において比較的わずかな割合を占めるものであり、代替的に、引き裂き線が連続した切れ目線であるように、ニックが引き裂き線から省かれたり、又は引き裂き線上で引き裂かれたりしてもよい。すなわち、引き裂き線のそれぞれを連続したスリット等で置き換えることは、本開示内容の範囲内にある。例えば、本開示内容から逸脱することなく、切れ目は、連続したスリットであってもよく、又はスリットよりも幅広であってもよい。
【００５０】
上記実施形態は、カートンの実施形態を組み立てる間に糊によって互いに接着される１つ又は複数のパネルを有するものとして説明されてもよい。「糊」という用語は、カートンパネルを所定位置に固定するのに一般的に用いられる全ての態様の接着剤を包含することが意図される。
【００５１】
本開示内容の上記説明は、多様な例示的な実施形態を例示し、及び説明するものである。特許請求の範囲の精神及び範囲から逸脱することなく、多様な追加、変更、変形、その他が当該例示的な実施形態に対しなされることができる。上記説明に含まれるか又は添付図面に示されているすべての事項は、例示目的であって、限定的な意味ではないと解釈されることが意図される。さらに、本開示内容は、本開示内容の選択された実施形態のみを例示し、説明しているが、本開示内容は、その他の多様な組み合わせ、変更、及び状況で用いることができ、本明細書で述べられているような発明精神の範囲内で変形又は変更を行うことができ、上記教示に相応し、及び／又は関連技術分野の技術若しくは知識内にある。さらに、各実施形態の特定の機能及び特徴を、選択的に置き換えて、本開示内容の他の説明された実施形態又は説明されていない実施形態に適用することができる。
【図１】
0005404769.tif 000004
【図２】
0005404769.tif 000005
【図３】
0005404769.tif 000006
【図４】
0005404769.tif 000007
【図５】
0005404769.tif 000008
【図６】
0005404769.tif 000009
【図７】
0005404769.tif 000010
【図８】
0005404769.tif 000011
【図９】
0005404769.tif 000012
【図１０】
0005404769.tif 000013
【図１１】
0005404769.tif 000014
【図１２】
0005404769.tif 000015
【図１３】
0005404769.tif 000016
【図１４】
0005404769.tif 000017
【図１５】
0005404769.tif 000018